(57)【要約】【課題】柄部の先端部へのはたき部材の付け替え交換に際し、容易に行えるはたきを提供することにある。【解決手段】柄２の先端の取付部６に対して交換可能なはたき部材３を取り付け、係止キャップ４を取付部６に移動してはたき部材３を固定する。取付部６の先端に鉤状に屈曲形成された仮止め挟持部７は、径方向の一側から先端に向けて延出した延出部９と、延出部９の先端を基端に向けてＵ字状に屈曲形成された挟持部１０とを有し、挟持部１０と取付部６の中間部との間に間隔を開けて挿入部１１が形成され、挿入部１１は柄２の長手方向に対して側方に配置されている。【選択図】図３
0003123856.tif 000002
【実用新案登録請求の範囲】
【請求項１】
柄と、前記柄の先端の取付部に対して交換可能なはたき部材及び前記柄の長手方向に摺動自在であって、前記はたき部材を前記柄の前記取付部に固定するための係止キャップにより構成され、前記係止キャップを前記取付部に移動して前記はたき部材を固定するようにしたはたきにおいて、
前記取付部の先端に鉤状に屈曲形成された仮止め挟持部が設けられ、前記取付部の基端の周面に前記係止キャップに対する係止突起が複数設けられ、前記仮止め挟持部は、径方向の一側から先端に向けて延出した延出部と、前記延出部の先端を基端に向けてＵ字状に屈曲形成された挟持部とを有し、前記挟持部と前記取付部の中間部との間に間隔を開けて挿入部が形成され、前記挿入部は、前記柄の長手方向に対して側方に配置されたこと特徴とするはたき。
【考案の詳細な説明】
【技術分野】
【０００１】
本考案は、紙等で形成されたはたき部材を柄部に対して交換可能なはたきの改良に関する。
【背景技術】
【０００２】
紙等で形成されたはたき部を柄部に対して交換可能なはたきとして、従来、次のようなものが知られている。実開昭６０−１６８４５８号公報に開示されているはたきは、はたき棒の先端部に止金具を挿着するための貫通孔が穿設され、略Ｃ字状を呈した弾性を有する線材よりなる止金具が、略Ｃ字状の開口をはたき棒の先端に向けて前記貫通孔に挿着され、はたき棒に樹脂製の係着具が棒の長手方向に移動自在に設けられ、係着具で開口した止金具を押し縮めることにより、はたき部を止金具で挟持させ、係着具をはたき棒の基端方向に移動することではたき部を着脱自在となしたものである。
【０００３】
登録実用新案公報第３０２７４５２号に開示されているはたきは、柄の先端にＵ字状のはさみ部を設け、吸着剤をつけた軟らかい紙で形成されたはさみ部材をはさみ部に着脱可能にはさみ付け、柄の先端にスライド可能に設けられたキャップを柄の先端に移動してはたき部材を固定するようにしたものである。
【０００４】
登録実用新案公報第３０３９５９８２号に開示されているはたきは、柄の先端寄りに設けた穴に、交互に折りたたまれて棒状に束ねられてなるペーパー製の化学雑巾を挿入し、化学雑巾を中央部分で半分に折り曲げ、柄に対して長手方向に摺動自在に設けられた穂先固定環を柄の先端部に移動させ、化学雑巾を固定するようにしたものである。
【考案の開示】
【考案が解決しようとする課題】
【０００５】
実開昭６０−１６８４５８号公報に開示されているものでは、はたき部をはたき棒に先端に取り付ける場合、係着具で開口した止金具を押し縮めるまでは、はたき部が止金具に挟持されないため、はたき部を手によって支持しておかなければならず、取り付けずらい。
【０００６】
登録実用新案公報第３０２７４５２号に開示されているものでは、はさみ部の先端が開放されており、かつはさみ部が側方に向けて湾曲した構造となっており、はたき部材の中央のしばり部分（細くなっている部分）をはさみ部にはさみつけて装着するため、はたき部材がはさみ部に対して不安定であって緩みやすい。また、はたき部材が緩まないようにするためには、はたき部材を複数個はさみ部にはさみ込む必要がある。
【０００７】
登録実用新案公報第３０３９５９８２号に開示されているものでは、ペーパー製の化学雑巾を柄の先端寄りに設けた穴に挿入するため、化学雑巾の端部が広がったりしていると穴に挿入しづらく、交換に手間取り、取り付けずらい。
【０００８】
本考案は、これに鑑みてなされたもので、柄部の先端部へのはたき部材の付け替え交換に際し、容易に行えるはたきを提供することにある。
【課題を解決するための手段】
【０００９】
本考案の請求項１に係るはたきは、柄と、前記柄の先端の取付部に対して交換可能なはたき部材及び前記柄の長手方向に摺動自在であって、前記はたき部材を前記柄の前記取付部に固定するための係止キャップにより構成され、前記係止キャップを前記取付部に移動して前記はたき部材を固定するようにしたものであって、上記課題を解決するために、前記取付部の先端に鉤状に屈曲形成された仮止め挟持部が設けられ、前記取付部の基端の周面に前記係止キャップに対する係止突起が複数設けられ、前記仮止め挟持部は、径方向の一側から先端に向けて延出した延出部と、前記延出部の先端を基端に向けてＵ字状に屈曲形成された挟持部とを有し、前記挟持部と前記取付部の中間部との間に間隔を開けて挿入部が形成され、前記挿入部は、前記柄の長手方向に対して側方に配置されたこと特徴とするはたき。
【考案の効果】
【００１０】
本考案のはたきによれば、はたき部材の中央部分をに引っ掛けるだけで、はたき部材がずれることなく仮係止されるので、はたき部材の付け替え交換に際し、手間取ることなく容易に行える。
【考案を実施するための最良の形態】
【００１１】
以下、本考案の実施の形態を図面に基いて詳細に説明する。図１は、本考案の実施形態に係るはたき１を示す正面図である。はたき１は、柄２、柄２の先端部に対して交換可能なはたき部材３及びはたき部材３を柄２の先端部に固定するための係止キャップ４より構成されている。
【００１２】
図２は柄２及び係止キャップ４の拡大平面図であり、図３は柄２の先端部分を示す拡大側面図である。柄２は、棒状をなし、一端部（基端部）が把持部５に形成され、他端部（先端部）にはたき部材３の取付部６が設けられている。取付部６の先端には、鉤状に屈曲形成された仮止め挟持部７が設けられ、取付部６の基端は柄２の中間部よりも若干径大に形成されると共に、基端縁の周面に係止キャップ４に対する係止突起８，８が径方向の両端位置に２箇所設けられている。
【００１３】
仮止め挟持部７は、図３に示すように、取付部６の中間部において径方向の外周縁一側から先端に向けて延出した延出部９と、延出部９の先端を基端の外周縁他側に向けてＵ字状に屈曲するように形成された挟持部１０とを有し、挟持部１０の先端と取付部６の中間部との間に間隔を開けて挿入部１１が形成され、また、挟持部１０と延出部９とが間隔を持って対向している。なお、挿入部１１は、柄２の長手方向に対して側方に配置されることになる。なお、挟持部１０と延出部９との間に、はたき部材３を挟み込んではたき部材３を仮止めする（図３参照）。また、互いに対向する挟持部１０の内面及び延出部９の内面には刺状の小突起１２が複数箇所に設けられ（図３参照）、挟持部１０の両側面と延出部９の両側面とにも刺状の小突起１２が複数箇所に設けられている（図２参照）。
【００１４】
係止キャップ４は、内部が中空の筒状をなし、柄２に対して長手方向に摺動可能に挿通されている。係止キャップ４は、比較的柔軟な合成樹脂製であり、基部の内径は取付部６の係止突起８，８の間隔よりも僅かに小さく、先端部が基部よりも径大に形成され、先端部の開口周縁には前方に向けて山形で肉薄状の萼片１３が周方向に等間隔に複数個（実施形態では６個）設けられている。
【００１５】
図４ははたき部材４の斜視図であり、図５ははたき部材４を構成するペーパー製の化学雑巾葉の展開図である。化学雑巾葉１４は、親水性繊維（レーヨン、パルプ等）や疎水性繊維（ポリエステル、ポリオレフィン等）を素材とする織布、不織布、あるいは薄様紙等を、好ましくは網状繊維を介して接着もしくは交絡させシート状に積層させたものが好適であり、幾分腰のあるものが用いられる。これに鉱物油、シリコーンオイル、界面活性剤等を適宜含浸させて捕埃性能を向上させる。なお、化学雑巾葉１４に対して５重量％を超えて配合すると、処理面がベタついたり、電気機器類等に悪影響を及ぼすことがあるので好ましくない。
【００１６】
鉱物油としてはパラフィン系炭化水素、ナフテン系炭化水素、芳香族炭化水素等が例示できる。これらの油剤は、単独で用いてもよく、２種以上を混合して用いてもよい。界面活性剤は、掃除用具への付与を容易にし、また、組成物を均一化するために添加される。界面活性剤の種類としては、非イオン性界面活性剤を用いることが好ましい。このような非イオン活性剤としては特に限定されないが、ポリオキシエチレンアルキルエーテルとしては、ポリオキシエチレンラウリルエーテル、ポリオキシエチレンセチルエーテル、ポリオキシエチレンオレイルエーテル、ポリオキシエチレンステアリルエーテルなどが好ましい。ソルビタンエステルとしてはソルビタンラウリン酸モノエステル、ソルビタンパルチミン酸モノエステル、ソルビタンステアリン酸モノエステル、ソルビタンオレイン酸モノエステルなどが好ましい。グリセリン脂肪酸エステルとしては、モノミリスチン酸グリセリル、モノステアリン酸グリセリル、モノオレイン酸グリセリル、モノイソステアリン酸グリセリル、ジオレイン酸グリセリルなどが好ましい。植物油としては、ホホバ油、アボカド油、オリーブ油、杏仁油、グレープシード油、サフラワー油、ヒマワリ油などが好ましい。ソルビタントリオレエートとしては、ソルビタンステアリン酸トリエステル、ソルビタンオレイン酸トリエステルなどが好ましい。ヒマシ油もしくは硬化ヒマシ油のＥＯ付加物としては、ポリオキシエチレン硬化ヒマシ油、ラウリン酸ポリオキシエチレン硬化ヒマシ油、モノイソステアリン酸ポリオキシエチレン硬化ヒマシ油などが好ましい。これらの界面活性剤は、単独で用いてもよく、２種以上を混合して用いてもよい。
【００１７】
図５に示す化学雑巾葉１４は、例えば、長さ方向３０ｃｍ程度、幅方向１１ｃｍ程度であり、複数葉（実施形態では、例えば２葉）を重ね合わせてはたき部材３の基材とする。前記基材の長さ方向の中央部分を略５ｃｍを残して（穂先部３ａとなる短冊状部分が）幅１ｃｍ程度となるように長さ方向の両端から中央に切り込む。なお、切線は、ジグザグ状に形成してある。幅方向の両辺縁１４ａ，１４ｂが幅方向の中央線１４ｃに重なるように内方に折り畳み、さらに、両方の折り畳んだ部分が重なり合うように再度中央線１４ｃを折り線として折り畳み、折り畳んだ中央部分を貼着テープ１５等で止めることで、図４のはたき部材３を得る。なお、折り畳んだ中央部分が嵩張らない切り捨て部分３５を作る。
【００１８】
はたき部材３の柄２に対する取り付けは、図２に示すように、係止キャップ４を柄２の中程に移動させて取付部６を露出した状態とする。図３に示す仮止め挟持部７の挿入部１１からはたき部材３の中央部分（貼着テープ１５で止められている部分）を挿入して挟持部１０と延出部９との間に配置させる。挿入部１１は、柄２の長手方向に対して側方に配置されていることにより、はたき部材３の中央部分の挿入が迅速で楽に行える。この状態では、はたき部材３の中央部分がＵ字状をなした挟持部１０と延出部９との間に挟持され、仮に柄２の先端を下方に向けた状態であってもはたき部材３が支持されるため、はたき部材３が仮止め挟持部７に対してずれることがなく安定して支持され（仮係止され）、取付作業が容易である。
【００１９】
さらに、挟持部１０の内面及び延出部９の内面に設けられた刺状の小突起１２がはたき部材３の中央部分に当接することにより、はたき部材３が仮止め挟持部７に対して滑ったりずれ落ることがなく、挟持状態を確実なものとすることができる。
【００２０】
はたき部材３の中央部分を挟持部１０と延出部９との間に挟持させた状態で、係止キャップ４を柄２の先端の取付部６に向けて移動させる（図６参照）。係止キャップ４の移動当初、取付部６の外周面に設けられた係止突起８，８が係止キャップ４の基部の内周面に突き当たる。係止キャップ４は柔軟な合成樹脂製であるから、係止キャップ４の基部の内径が変形して押し広げられ、係止キャップ４を取付部６の周囲に移動させることができる。そして、係止キャップ４の基端が係止突起８，８を乗り越えて先端側に移動すると、係止キャップ４の基端が変形より元の形状に復帰し、係止キャップ４の基端面が係止突起８，８に当接して支持される。この状態では、係止キャップ４の先端部の開口周縁に設けられた複数の萼片１３がはたき部材３の穂先部３ａの基部に当って支持する（図１参照）。なお、使い古したはたき部材３を取り外す場合には、前述と同様に、係止キャップ４を柄２の中程に移動させて取付部６を露出した状態とし、はたき部材３の中間部分を挿入部１１から取り外せばよい。
【００２１】
図７乃至図９は、本考案のはたきの柄の部分の第２実施形態を示すものであり、柄２の基端をヘッド１６の先端に回動自在に取り付け、ヘッド１６の後端に対して握り柄１７を挿脱可能に連結したものである。ヘッド１６は、管状の杆体であって、その先端には柄２に対する軸支部１８が形成され、軸支部１８により、柄２の基端がヘッド１６の先端に回動自在に取り付けている。ヘッド１６の先端寄りの周面には角度調整ボタン２３が径方向に押し込み可能に設けられ、ヘッド１６の後端寄りの周面には固定孔１９が設けられている。
【００２２】
握り柄１７は、先端に杆状の挿入部２０が設けられ、挿入部２０の周面には、挿入部２０の径方向内側に弾性変形可能な固定片２１が軸方向に沿って設けられ、固定片２１の先端に爪状の係止突部２２が形成されている。
【００２３】
図７（ａ）に示すように、握り柄１７の先端の挿入部２０をヘッド１６の後端の挿入口（図示せず）に差し込むと、ヘッド１６の挿入口によって固定片２１が押圧されて径方向内側に弾性変形し、ヘッド１６の周面に設けられた固定孔１９に固定片２１の先端の係止突部２２が一致すると、固定片２１が径方向外側に弾性復帰し、図７（ｂ）に示すように、固定片２１の先端の係止突部２２がヘッド１６の固定孔１９に入り込んで係合し、ヘッド１６の後端に対して握り柄１７が連結される。また、ヘッド１６を握り柄１７から外す時には、固定片２１の係止突部２２を径方向内側に向けて押し込んでヘッド１６の固定孔１９と固定片２１の係止突部２２との係合を外し、握り柄１７をヘッド１６から引き抜くことで外すことができる。
【００２４】
図８はヘッド１６の軸支部１８を示す側面図である。図８に示すようにヘッド１６の軸支部１８は、柄２の基端の軸部２４の両端を軸支している。柄２の軸部２４の周面の複数箇所にはヘッド１６に対する柄２の角度を固定するための角度固定用の係合孔２５が設けられている。一方、ヘッド１６の先端寄りの周面には角度調整ボタン２３が径方向に押し込み可能に設けられ、ヘッド１６の先端内部には、バネ（図示せず）により柄２の軸部２４に対して進出するように付勢がかけられると共に、角度調整ボタン２３の径方向内側への押し込みにより、軸部２４に対して後退移動可能とされた係合突部２６が設けられている。
【００２５】
ヘッド１６に対する柄２の角度調整は、ヘッド１６に設けられた角度調整ボタン２３を押し込むと、角度調整ボタン２３の径方向内側への移動により係合突部２６がバネの付勢に抗して後退移動し、角度固定用の係合孔２５に対する係合突部２６の係合状態が解除される。従って、角度調整ボタン２３を押し込んだ状態とすると、ヘッド１６に対して軸部２４により柄２を回動することができる。
【００２６】
図９はヘッド１６に対する柄２の角度調整箇所の一例を示しており、実施形態では、ヘッド１６に対する柄２の角度調整箇所は５段設けられており、したがって、各角度調整位置に対応して角度固定用の係合孔２５も５箇所設けられているものである。具体的には、ヘッド１６と柄２とが略平行な状態となる角度位置（収納に適した調整角度）２ａ、ヘッド１６と柄２との交差角度が略１２０度となる角度位置２ｂ、ヘッド１６と柄２との交差角度が略１８０度となる角度位置２ｃ、ヘッド１６と柄２との交差角度が略２１０度となる角度位置２ｄ、ヘッド１６と柄２との交差角度が略２４０度となる角度位置２ｅの５段階に角度調整することができる。
【００２７】
角度調整ボタン２３から手を離して押し込んだ状態を解除すると、係合突部２６がバネの付勢によって柄２の軸部２４に向って進出移動し、係合突部２６が角度固定用の係合孔２５に入り込んで係合し、ヘッド１６に対して柄２の角度が固定される。また、同時に係合突部２６の進出移動により、角度調整ボタン２３がヘッド１６の先端寄りの周面に突出した状態に復帰する。
【００２８】
図１０は本考案のはたきの柄の部分の第３実施形態を示すものであり、ヘッド１６の後端に対してスライド伸縮可能な握り柄２７を連結したものである。握り柄２７は、図１０（ｂ）に示すように、第１柄２８、第２柄２９及び第３柄３０よりなる。第２柄２９は、第１柄２８よりも管口径が一回り大きく、第１柄２８が第２柄２９の管の中にスライドして入り込む。また、第３柄３０は、第２柄２９よりも管口径が一回り大きく、第２柄２９が第３柄３０の管の中にスライドして入り込む。なお、ヘッド１６の後端に対して第１柄２８を挿脱可能に連結した構成は、図７の第２実施形態と同様である。
【００２９】
第１柄２８の第２柄２９に対するスライドの固定は、第２柄２９の前端寄りの周面に固定孔３１が設けられ、第２柄２９の内側にスライド可能に挿入されている第１柄２８の後端寄りに径方向内側に押し込み可能であって、かつバネ（図示せず）により第１柄２８の周面から突出するように付勢がかけられた固定ボタン３２が設けられ、第２柄２９の固定孔３１に対する第１柄２８の固定ボタン３２の係合による。
【００３０】
また、第２柄２９の第３柄３０に対するスライドの固定は、第３柄３０の前端寄りの周面に固定孔３３が設けられ、第３柄３０の内側にスライド可能に挿入されている第２柄２９の後端寄りに径方向内側に押し込み可能であって、かつバネ（図示せず）により第２柄２９の周面から突出するように付勢がかけられた固定ボタン３４が設けられ、第３柄３０の固定孔３３に対する第２柄２９の固定ボタン３４の係合による。
【００３１】
握り柄２７を長くする場合には、第３柄３０を手に持ってヘッド１６を握り柄２７の前方に向けて引き出すと、第１柄２８及び第２柄２９が第３柄３０に対して前方に引き出され、第３柄３０の固定孔３３に第２柄２９の固定ボタン３４が係合すると、第２柄２９が第３柄３０に対して固定されると共に、第１柄２８が第２柄２９に対して前方に引き出され、第２柄２９の固定孔３１に第１柄２８の固定ボタン３２が係合すると、第１柄２８が第２柄２９に対して固定され、図１０（ｂ）に示すように、握り柄２７を長くすることができる。
【００３２】
握り柄２７を短くする場合には、第３柄３０を手に持って固定ボタン３４を押し込みながらヘッド１６を第３柄３０に向けて押し込む。第１柄２８及び第２柄２９が一体に第３柄３０に向けてスライドし、第３柄３０の管内に第２柄２９が入り込み、第３柄３０の前端が第１柄２８の固定ボタン３２に当ると、固定ボタン３２が径方向内側に移動して第２柄２９の固定孔３１から離脱し、次いで、第１柄２８が第２柄２９に向けてスライドし、第２柄２９の管内に第１柄２８が入り込み、図１０（ａ）に示すように、握り柄２７を短くすることができる。
【図面の簡単な説明】
【００３３】
【図１】本考案の実施形態に係るはたきを示す正面図である。
【図２】同上の実施形態の柄及び係止キャップの拡大平面図である。
【図３】柄の先端部分を示す拡大側面図である。
【図４】はたき部材の斜視図である。
【図５】はたき部材を構成するペーパー製化学雑巾葉の展開図である。
【図６】取付部の仮止め挟持部に支持させたはたき部材に対して係止キャップによる取付作業を示す図である。
【図７】本考案のはたきの柄の部分の第２実施形態を示す正面図である。
【図８】第２実施形態のはたきのヘッドの軸支部を示す側面図である。
【図９】ヘッドに対する柄の角度調整箇所の一例を示す図である。
【図１０】本考案のはたきの柄の部分の第３実施形態を示す正面図である。
【符号の説明】
【００３４】
１  はたき
２  柄
３  はたき部材
３ａ  穂先部
４  係止キャップ
５  把持部
６  取付部
７  仮止め挟持部
８  係止突起
９  延出部
１０  挟持部
１１  挿入部
１２  小突起
１３  萼片
１４  化学雑巾葉
１５  貼着テープ
１６  ヘッド
１７  握り柄
１８  軸支部
１９  固定孔
２０  挿入部
２１  固定片
２２  係止突部
２３  角度調整ボタン
２４  軸部
２５  係合孔
２６  係合突部
２７  握り柄
２８  第１柄
２９  第２柄
３０  第３柄
３１  固定孔
３２  固定ボタン
３３  固定孔
３４  固定ボタン
３５  切り捨て部分
【図１】
0003123856.tif 000003
【図２】
0003123856.tif 000004
【図３】
0003123856.tif 000005
【図４】
0003123856.tif 000006
【図５】
0003123856.tif 000007
【図６】
0003123856.tif 000008
【図７】
0003123856.tif 000009
【図８】
0003123856.tif 000010
【図９】
0003123856.tif 000011
【図１０】
0003123856.tif 000012